(57)【要約】      （修正有）【課題】飲食店等で使用後に廃棄されてしまう箸袋に着目し、箸袋を食事中の飛沫防止用のマウスガードとして活用できる飛沫防止箸袋を提供する。【解決手段】箸１００を収納する箸袋１０であって、箸袋の折り目１６１、１６２、１６３を開くことでマウスガード１０Ｂになる。箸袋の折り目を開いてマウスガードにした際に、利用者の鼻に対応するように折り曲げ可能な他の折り目１６５、１６６を設けてもよい。【選択図】図１
0003231363.tif 000002
【実用新案登録請求の範囲】
【請求項１】
箸を収納する箸袋であって、
前記箸袋の折り目を開くことでマウスガードになる飛沫防止箸袋。
【請求項２】
前記箸袋は３つの折り目を有し、３つの折り目を開くことでマウスガードになる請求項１記載の飛沫防止箸袋。
【請求項３】
前記箸袋の折り目を開いてマウスガードにした際に、利用者の鼻に対応するように折り曲げ可能な他の折り目を設けた請求項１又は２記載の飛沫防止箸袋。
【考案の詳細な説明】
【技術分野】
【０００１】
本考案は、箸を収納する箸袋でありながら飲食中の飛沫防止にも利用しうる飛沫防止箸袋に関する。
【背景技術】
【０００２】
飲食店等では、未使用の箸の衛生面を保持するために、箸先又は箸全体を収納する箸袋が利用されている。箸袋は、例えば、紙などの素材で長方形状の袋で形成されており、飲食中はテーブル上に置いておき、飲食後にはゴミとして廃棄される場合が多い。
【０００３】
一方、近時では、新型コロナウイルスの感染拡大が世界中で問題となっている。新型コロナウイルスは飛沫でも感染することが知られており、飛沫による感染防止対策として口や鼻周辺を覆うマスクの着用が推奨されているとともに、飲食時の飛沫感染防止対策が喫緊の課題となっている。従来より、飲食中の飛沫を防止するためのマスクに関する技術も知られている。例えば、特許文献１には、耳にひもをかけて口周辺を覆うように装着するタイプのマスクにストロー等を挿着する一つ又は二つの穴を設けて、飲食中の飛沫を防止しうるマスクが提案されている。
【先行技術文献】
【特許文献】
【０００４】
【特許文献１】実用新案登録第３２２８５８３号公報
【考案の概要】
【考案が解決しようとする課題】
【０００５】
しかしながら、特許文献１のマスクのように、ストロー等を挿着する小さな穴を空けただけの構成では、マスクを装着した状態で食べ物を口に入れることができず食事を十分にできないことから、食事をする際には結局はマスクを外す必要があり、食事中の飛沫防止対策としては実用性が低いものであった。
【０００６】
本考案は、上記従来の課題に鑑みてなされたものであり、飲食店等で使用後に廃棄されてしまう箸袋に着目し、箸袋を食事中の飛沫防止用のマウスガードとしても活用できる飛沫防止箸袋を提供することにある。
【課題を解決するための手段】
【０００７】
上記課題を解決するために本考案は、箸１００を収納する箸袋１０Ａであって、箸袋１０Ａの折り目（１６１、１６２、１６３）を開くことでマウスガード１０Ｂになる飛沫防止箸袋１０から構成される。
【０００８】
また、前記箸袋は３つの折り目を有し、３つの折り目を開くことでマウスガードになることとしてもよい。
【０００９】
また、前記箸袋１０Ａの折り目（１６１、１６２、１６３）を開いてマウスガード１０Ｂにした際に、利用者の鼻に対応するように折り曲げ可能な他の折り目（１６５、１６６）を設けたこととしてもよい。
【考案の効果】
【００１０】
本考案の飛沫防止箸袋によれば、箸を収納する箸袋であって、箸袋の折り目を開くことでマウスガードになることから、飲食する際に箸を取り出した後の箸袋を口元を覆うマウスガードとして活用できるので、食事中の会話等で飛沫が飛散するのを良好に防止しながら飲食することができる結果、ウイルス感染対策を簡単に行うことができる。さらに、飲食後に廃棄される箸袋をマウスガードとして有効に利用できることで、資源の節約にも貢献しうるとともに、飲食店での保管・管理も便利である。
【００１１】
また、前記箸袋は３つの折り目を有し、３つの折り目を開くことでマウスガードになる構成とすることにより、簡単な構造で飛沫防止用箸袋を形成できるとともに、箸袋の状態からマウスガードの状態へ簡便に変更してスムーズにマウスガードに変形して利用することができる。
【００１２】
また、前記箸袋の折り目を開いてマウスガードにした際に、利用者の鼻に対応するように折り曲げ可能な他の折り目を設けた構成とすることにより、マウスガードとして利用する際に、口周辺を覆う際に鼻に当たりにくく邪魔になりにくいので、良好に口元周辺を覆って飛沫防止を図ることができる。
【図面の簡単な説明】
【００１３】
【図１】本考案の一実施形態に係る飛沫防止箸袋の全体説明図、及び箸袋を開いてマウスガードの形態に変更する際の作用説明図である。
【図２】図１の飛沫防止箸袋を開いてマウスガードにした状態の図であり、（ａ）はマウスガードの表面図、（ｂ）はマウスガードの背面図である。
【図３】図１の飛沫防止箸袋を開いてマウスガードにした状態で使用する際の一例を示す説明図である。
【図４】図１の飛沫防止箸袋を開いてマウスガードにした状態で使用する際の一例を示す説明図である。
【図５】図１の飛沫防止箸袋の変形例であり、開いてマウスガードにした状態の正面図である。
【考案を実施するための形態】
【００１４】
以下、添付図面を参照しつつ本考案の飛沫防止箸袋の実施の形態について説明する。本考案の飛沫防止箸袋は、箸を収納する箸袋であって、飲食時に箸を取り出した後に、飛沫防止用のマウスガードとして活用できるものである。図１ないし図４は、本考案に係る飛沫防止箸袋の一実施形態を示している。本実施形態では、飛沫防止箸袋１０は、例えば、薄いシート体１２を折り曲げて袋状に形成されることで図１（ａ）に示すような箸袋１０Ａの態様となっており、該箸袋１０Ａの折り目を開くことで、図３に示すような使用者の口元を覆うことができるマウスガード１０Ｂへと変更することができる。
【００１５】
図１、図２を参照しつつ、箸袋１０Ａ及びマウスガード１０Ｂを構成するシート体１２について説明する。本実施形態では、シート体１２は、例えば、折り曲げ・展開自在の一枚の紙素材からなり、やや横長の略広葉形状のような曲線形状で形成され、広げた状態で使用者の口元周辺から鼻にかけて覆ってマウスガード１０Ｂとして使用できるような広さで設定されている。シート体１２は、例えば、８０ｇ／ｍ２程度の厚さの片ツヤの晒しクラフト紙からなり、一方の面（表面１４Ｓ）側が滑面で形成されるとともに、他方の面(裏面１４Ｒ)側が粗面で形成されている。マウスガード１０Ｂとした場合には、滑面となる表面１４Ｓ側を外側に向けることで外側からの飛沫をはじくようになっているとともに、粗面となる裏面１４Ｒ側を内側（口側）に向けることで飛沫を防ぐことができるようになっている。
【００１６】
図１、図２に示すように、例えば、シート体１２には３つの折り目１６１、１６２、１６３が設けられており、３つの折り目１６１、１６２、１６３で折り曲げられることで細長袋状の箸袋１０Ａが構成される。すなわち、箸袋１０Ａの３つの折り目１６１、１６２、１６３を開くことで、箸袋１０Ａの状態からマウスガード１０Ｂとすることができる。具体的には、図２のように広げた状態で、シート体１２を上下に３分割するように上から略３分の１程度の位置に第１の折り目１６１が設けられるとともに、シート体１２の下から略３分の１程度の位置に第２の折り目１６２が設けられている。シート体１２の第１の折り目１６１は裏面側から見て谷折り線であり、該折り目１６１で形成される上側の第１折片部１８１は裏面１４Ｒが合わさるように折り曲げられる。同様にシート体１２の第２の折り目１６２も裏面側から見て谷折り線であり、該折り目１６２で形成される下側の第２折片部１８２を、先に折り曲げられる第１折片部１８１の上に重なるように折り曲げられる。第３の折り目１６３は、シート体１２の左右の長さの略４分の１程度の位置に縦に設けられており、第１の折り目１６１と第２の折り目１６２に沿って第１折片部１８１と第２折片部１８２を折り曲げて細長状とした状態から、該第３の折り目１６２に沿って第３折片部１８３を折り曲げて重ねることで、細長袋状の箸袋１０Ａが構成される。すなわち、箸袋１０Ａは、第１、第２、第３の折り目１６１、１６２、１６３で３辺が閉鎖されるとともに、一端側に箸１００を出し入れできる開口２０が設けられる。上記と逆の手順で第１、第２、第３の折り目１６１、１６２、１６３を開くことで、マウスガード１０Ｂとなる。
【００１７】
さらに、図１、図２に示すように、シート体１２の表面１４Ｓには、例えば、飲食店名や住所、電話番号、その他の広告等の任意の文字２２（図上で△△△で表示）が表示されている。なお、文字に替えて、または文字とともに、図形等が表示されていてもよい。文字２２は、基本的には、箸袋１０Ａ及びマウスガード１０Ｂで外側となる表面１４Ｓの任意に位置に表示されているとよい。本実施形態では、文字２２は、例えば、シート体１２の第１折片部１８１の表面側であって第２折片部１８２とは重ならない端部側の箇所と、第２折片部１８２の表面側と、の２か所に表示されている。箸袋１０Ａとマウスガード１０Ｂのいずれの状態でも、文字が正しく読めるようになっている。
【００１８】
また、図２に示すように、シート体１２には、箸袋１０Ａからマウスガード１０Ｂへ変形するための折り目（１６１、１６２、１６３）以外である他の折り目１６４、１６５、１６６が予め設けられている。第４の折り目１６４は、シート体１２の左右中央位置に表面１４Ｓ側から見て山折り線として設けられている。第４の折り目１６４は、第１、第２の折り目１６１、１６２に交差した折り目であるので、マウスガード１０Ｂとして使用する際に該第４の折り目１６４を軽く曲げておくことで第１、第２の折り目１６１、１６２が自然に戻るのを防止して開いた状態を保持できるとともに、使用者の顔の口元周辺に沿って覆うような形状とすることができる。さらに、シート体１２の上部側の中央位置に、前記第４の折り目１６４の上端部側と交差するように略Ｖ字状に形成された第５、第６の折り目１６５、１６６が設けられている。マウスガード１０Ｂを使用する際に、第５、第６の折り目１６５、１６６に沿ってマウスガード１０Ｂの上部側を略三角形状に折り曲げることで、該マウスガード１０Ｂが使用者の鼻に当たりにくいようにした状態で使用することができる。また、図５はマウスガード１０Ｂの変形例を示しており、図５に示すように、マウスガード１０Ｂの下部側に第４の折り目１６４と交差した逆Ｖ字状の第７、第８の折り目１６７、１６８を設けることとしてもよい。この場合、マウスガード１０Ｂとして使用する際に、その下端部側も第７、第８の折り目１６７、１６８を略三角形状に折り曲げて使用することができる。なお、箸袋及びマウスガードとなるシート体は、前述のものに限らず、例えば、その素材、厚み、形状、サイズ、並びに箸袋とマウスガードとを変形するための折り目の数や位置等は、任意に設定してもよい。
【００１９】
例えば、飲食店等で本実施形態の飛沫防止用箸袋１０を使用する際には、図１（ａ）に示すように、箸袋１０Ａとして使用する際には、箸１００の先端側を収納してテーブル上等においておく。飲食時に使用する際には、箸袋１０Ａから箸１００を取り出した後、第３の折り目１６３から第３折片部１８３を開く（図１（ｂ）参照）とともに、第２の折り目１６２から第２折片部１６２を開き（図１（ｃ）参照）、第１の折り目１６１から第１折片部１６１を開き（図１（ｄ）参照）、マウスガード１０Ｂへ変形させる（図１（ｅ）参照）。そして、第４、第５、第６の折り目１６４、１６５、１６６に沿って適宜折り曲げて、図３に示すように、箸１００を持たない方の片手でマウスガード１０Ｂの下部側を持って口元周辺を覆うことができる。これにより、図４に示すように、飲食店等で飲食する際に良好に飛沫が飛ぶのを防止することができるので、例えば、複数人で会話を楽しみながらの食事も衛生面を維持しながら行うことができ、ウイルス感染対策として利用できる。また、箸袋１０Ａからマウスガード１０Ｂへの変形もスムーズに行うことができ、極めて使い勝手が良い。さらに、使用後に使い捨てされる箸袋の紙資源をマウスガードとして有効に活用することができる。
【００２０】
以上説明した本考案の誘導灯収納具は、上記した実施形態のみの構成に限定されるものではなく、実用新案登録請求の範囲に記載した本考案の本質を逸脱しない範囲において、任意の改変を行ってもよい。
【符号の説明】
【００２１】
１０    飛沫防止箸袋
１０Ａ    箸袋
１０Ｂ    マウスガード
１６１    第１の折り目
１６２    第２の折り目
１６３    第３の折り目
１６４    第４の折り目
１６５    第５の折り目
１６６    第６の折り目
【図１】
0003231363.tif 000003
【図２】
0003231363.tif 000004
【図３】
0003231363.tif 000005
【図４】
0003231363.tif 000006
【図５】
0003231363.tif 000007